(57)【要約】【課題】小石を飛散させることなく、安全に草木を刈り払うことができる刈払刃を提供する。【解決手段】円盤状基板２の外周端縁部２ａよりもチップ先端部３ａが突出し基板２の外周端縁部２ａに沿って同一ピッチにて配設された超硬チップ刃３を備えた刈払刃に於て、チップ刃３の上流側の側面３ｂを始端部として、基板２の外周端縁部２ａに、略半円弧状の草呼込スリット１０を切欠形成している。【選択図】図１
2011000015.tif 000002
【特許請求の範囲】
【請求項１】
円盤状基板（２）の外周端縁部（２ａ）よりもチップ先端部（３ａ）が突出し該基板（２）の外周端縁部（２ａ）に沿って同一ピッチにて配設された超硬チップ刃（３）を備えた刈払刃に於て、
上記チップ刃（３）の上流側の側面（３ｂ）を始端部（１２）として、上記基板（２）の外周端縁部（２ａ）に、略半円弧状の草呼込スリット（１０）を切欠形成したことを特徴とする刈払刃。
【請求項２】
上記スリット（１０）は、上記チップ刃（３）の上記側面（３ｂ）近傍を中心（Ｏ１）とする略半円弧状であって、
上記スリット（１０）と上記外周端縁部（２ａ）との角部は、所定鋭角（α）の小石侵入阻止角部（１３）を構成している請求項１記載の刈払刃。
【請求項３】
上記スリット（１０）の終端中心線（１１Ａ）は、上記基板（２）の半径線（２０）に対して反回転方向（Ｂ）へ所定鋭角の終端傾斜角度（β）をもって傾斜している請求項１又は２記載の刈払刃。
【請求項４】
上記スリット（１０）は、終端部（１１）から上記小石侵入阻止角部（１３）に至るまでの溝幅（Ｗ）を１．５ｍｍ〜３．０ｍｍに設定し、かつ、上記小石侵入阻止角部（１３）から始端部（１２）に至るまでの外方開放状の開口部（１４）の口幅（Ｔ）を、上記溝幅（Ｗ）の１．３〜２．０倍の寸法に設定した請求項１，２又は３記載の刈払刃。
【請求項５】
隣り合う上記チップ刃（３）とチップ刃（３）の間に於ける上記基板（２）の上記外周端縁部（２ａ）と、上記チップ刃（３）の上記先端部（３ａ）を結ぶ外接円（Ｃ０）とのラジアル方向寸法差（ΔＲ）の、上記スリット（１０）を除外して算出した、平均値を、２．０ｍｍ〜４．０ｍｍに設定した請求項１，２，３又は４記載の刈払刃。
【発明の詳細な説明】
【技術分野】
【０００１】
本発明は、刈払機に取り付けて使用される刈払刃に関する。
【背景技術】
【０００２】
従来、野原、山林、庭、田畑等の草木を刈り取る刈払機に取付けて使用される刈払刃は、種々の形状のものが提案されている。
例えば、特許文献１の刈払刃は、円盤状の基板の外周面にチップ刃を付着した刈払刃であって、基板の外周面に沿って突設された歯部に、チップ刃を取付けて構成されている。
【先行技術文献】
【特許文献】
【０００３】
【特許文献１】特開平１０−４２６５３号公報
【発明の概要】
【発明が解決しようとする課題】
【０００４】
しかし、従来の刈払刃は、草木の刈り払いには適しているが、草むらに小石が紛れ込んでいる場合には、小石を歯部で跳ね飛ばして周囲に高速で飛散させてしまい、乗用車を傷付けたり、人に当って、危険であった。
そこで、基板の外周面からチップ刃を低く突設させ、凹凸を少なくした刈払刃を、本発明者は作製して種々の実験を行ったところ、小石を飛散させる危険を少なくすることができるが、刈払刃の回転に伴って歯部近傍にラジアル外方向の風圧が発生し、細く柔らかい草等は、この小さな風圧でも揺動して逃げてしまって、細く柔軟な草等を刈り払うことができなくなるという別の問題点を見付けた。
【０００５】
そこで、本発明は、小石を飛散させることなく、安全に、細く柔軟な草であっても刈り払うことができる刈払刃を提供することを目的とする。
【課題を解決するための手段】
【０００６】
そこで、本発明に係る刈払刃は、円盤状基板の外周端縁部よりもチップ先端部が突出し該基板の外周端縁部に沿って同一ピッチにて配設された超硬チップ刃を備えた刈払刃に於て、上記チップ刃の上流側の側面を始端部として、上記基板の外周端縁部に、略半円弧状の草呼込スリットを切欠形成したものである。
【０００７】
また、上記スリットは、上記チップ刃の上記側面近傍を中心とする略半円弧状であって、上記スリットと上記外周端縁部との角部は、所定鋭角の小石侵入阻止角部を構成しているものである。
また、上記スリットの終端中心線は、上記基板の半径線に対して反回転方向へ所定鋭角の終端傾斜角度をもって傾斜しているものである。
【０００８】
また、上記スリットは、終端部から上記小石侵入阻止角部に至るまでの溝幅を１．５ｍｍ〜３．０ｍｍに設定し、かつ、上記小石侵入阻止角部から始端部に至るまでの外方開放状の開口部の口幅を、上記溝幅の１．３〜２．０倍の寸法に設定したものである。
【０００９】
また、隣り合う上記チップ刃とチップ刃の間に於ける上記基板の上記外周端縁部と、上記チップ刃の上記先端部を結ぶ外接円とのラジアル方向寸法差の、上記スリットを除外して算出した、平均値を、２．０ｍｍ〜４．０ｍｍに設定したものである。
【発明の効果】
【００１０】
本発明の刈払刃によれば、小石の飛ぶことを防ぎ、自動車や窓等の傷付きを防止し、かつ、人体への危険を低減すると共に、細く柔軟な草が生えている場合であっても、これを確実に刈り払うことができる。
【図面の簡単な説明】
【００１１】
【図１】本発明の刈払刃の実施の一形態を示した全体図である。
【図２】刈払刃を示した要部拡大図である。
【図３】刈払刃をさらに詳細に示した要部拡大図である。
【図４】刈払刃の作用説明図であって、（イ）は平面作用説明図、（ロ）は（イ）のＹ−Ｙ断面作用説明図である。
【発明を実施するための形態】
【００１２】
以下、実施の形態を示す図面に基づき本発明を詳説する。
図１〜３は、本発明に係る刈払刃１を示した図である。
刈払刃１は、円盤形状に形成されており、基板２の外周端縁部２ａに沿って超硬合金から成る超硬チップ刃３がロウ付けされている。超硬チップ刃３は、外周端縁部２ａに同一ピッチにて配設され、外周端縁部２ａよりもチップ先端部３ａが突出している。チップ刃３の回転方向Ｆの上流側の側面３ｂには、先端部３ａ寄りに刃端部３ｃが形成されている。基板２の外周端縁部２ａには、チップ刃３の側面３ｂを始端部１２として、略半円弧状の草呼込スリット１０が切欠形成されている。上記草呼込スリット１０の始端部１２に対応する部位、及び、それよりもラジアル外方部位に、わたって刃端部３ｃが露出している。
【００１３】
草呼込スリット１０は、側面３ｂ近傍を中心Ｏ１とする略半円弧状に形成されている。スリット１０と外周端縁部２ａとの角部は、所定鋭角αを成す小石侵入阻止角部１３を構成している。つまり、スリット１０は、回転方向Ｆに凸状に湾曲した略半円弧状である。
略半円弧状のスリット１０の中心線は、仮想円Ｃ１を形成し、スリット１０の終端部１１に於ける仮想円Ｃ１の接線である終端中心線１１Ａは、基板２の半径線２０に対して反回転方向Ｂへ所定鋭角の終端傾斜角度βをもって傾斜している。スリット１０は、終端部１１から小石侵入阻止角部１３に至るまでを、所定の溝幅Ｗにて形成されており、溝幅Ｗの寸法は１．５ｍｍ〜３．０ｍｍに設定されている。
【００１４】
また、スリット１０は、始端部１２から小石侵入阻止角部１３に至るまでに、外方開放状の開口部１４を有している。開口部１４の口幅Ｔは、溝幅Ｗの１．３〜２．０倍の寸法に設定されている。
なお、仮想円Ｃ１上で始端部１２から終端部１１までを結んだ円弧が中心Ｏ１で成す中心角は、１８０°より小さく設定されている。
【００１５】
また、隣り合うチップ刃３とチップ刃３の間に於て、外周端縁部２ａと、チップ刃３の先端部３ａを結ぶ外接円Ｃ０とのラジアル方向寸法差ΔＲは、スリット１０を除外して算出した平均値を、２．０ｍｍ〜４．０ｍｍに設定されている。
なお、ラジアル方向寸法差ΔＲのスリット１０を除外して算出した平均値とは、隣り合うチップ刃３とチップ刃３の間にて、外周端縁部２ａと外接円Ｃ０とのラジアル方向寸法差ΔＲをスリット１０を除いて所定の回数ｎだけ測定し、寸法差ΔＲの測定値の合計を、測定した回数ｎで割って算出されるラジアル方向寸法差ΔＲの相加平均値である。
【００１６】
さらに、基板２の外周端縁部２ａには、砥石逃げ部４がチップ刃３の反回転方向Ｂ側に傾斜状に形成され、チップ刃３に、砥石を当てることができる。
なお、基板２の厚さ寸法は、１．２ｍｍに設定され、かつ、チップ刃３の厚さ寸法は、２．０ｍｍに設定されている。
【００１７】
上述した本発明の刈払刃１の使用方法（作用）について説明する。
刈払刃１は、草木を刈り取る刈払機のロッド先端に付設して使用される。
図１〜３に示すように、刈払機に取付けられた刈払刃１は、回転方向Ｆに回転しつつ基板２の外周端縁部２ａに配設された超硬チップ刃３によって草木を刈り払う。
【００１８】
超硬チップ刃３は、回転方向Ｆに向けて刃端部３ｃを露出し、その刃端部３ｃの回転によって、草木を刈り払う。この際、基板２の外周端縁部２ａ及び超硬チップ刃３に、小石Ｚが接触したとしても、前記ラジアル方向寸法差ΔＲと口幅Ｔが十分に小さく、しかも、溝幅Ｗが１．５ｍｍ〜３．０ｍｍの草呼込スリット１０内には、小石Ｚが侵入することはなく、（図２に示すように）小石Ｚに自転する外力が付与されるといえども、遠心力は僅少であって、小石Ｚを周囲に飛散させることもない。
【００１９】
図４に示すように、刈払刃１の回転に伴って、超硬チップ刃３の周辺には、図中に矢印で示す空気の流れＳが発生する。外周端縁部２ａに沿って流れる流れＳの一部の層流Ｓ１は、小石侵入阻止角部１３に案内されて、開口部１４から草呼込スリット１０内に導かれる。スリット１０は、略円弧状の終端部１１を反回転方向Ｂへ傾斜しているため、層流Ｓ１を滞りなく終端部１１まで通過させる。
このようにして、草呼込スリット１０が、層流Ｓ１をスリット１０内に流入させると、層流Ｓ１の外側を流れる層流Ｓ２が、外方に押し出されることなく、超硬チップ刃３の刃端部３ｃを通過する。
【００２０】
また、スリット１０の開口部１４は、その口幅Ｔをスリット内の溝幅Ｗの１．３〜２．０倍の寸法に設定しているため、層流Ｓ１と並んで流れる層流Ｓ２，Ｓ３を、超硬チップ刃３側に引き込む作用が生じる。
したがって、刈払刃１は、回転に伴う超硬チップ刃３近傍の空気の流れＳを利用して、小さな風圧で揺動する細く柔軟な草等を、外側に逃がすことなく刈り払うことが可能である。
なお、図４に示すように、スリット１０の終端部１１に、面取り部２１（図４（イ）では２点鎖線にて示した）を形成して、鋭利な内端角部２２を形成することで、スリット１０に侵入した細い草が（切れて）巻き付くことを防止できる。なお、内端角部２２の角度γを３０°〜５０°とするのが好ましい。
【００２１】
また、隣り合うチップ刃３とチップ刃３の間に於て、ラジアル方向寸法差ΔＲの平均値を、２．０ｍｍ〜４．０ｍｍとしたことで、刈払刃１に設けた草呼込スリット１０の作用が最も効果的に発揮される。
つまり、ラジアル方向寸法差ΔＲの平均値が、２．０ｍｍより小さいと、超硬チップ刃３が十分に機能せず、刈払刃１の草木を刈り払う能力が低下する。
また、ラジアル方向寸法差ΔＲの平均値が、４．０ｍｍより大きいと、小石Ｚが大きく突出したチップ刃３に遠心力が伝達されて、飛散する虞れがある。
【００２２】
以上のように、本発明は、円盤状基板２の外周端縁部２ａよりもチップ先端部３ａが突出し基板２の外周端縁部２ａに沿って同一ピッチにて配設された超硬チップ刃３を備えた刈払刃に於て、チップ刃３の上流側の側面３ｂを始端部１２として、基板２の外周端縁部２ａに、略半円弧状の草呼込スリット１０を切欠形成したので、小石Ｚを飛散させることなく、安全に草木を刈り払うことができ、小さな風圧でも揺動しやすい細く柔軟な草等を確実に刈り払うことができる。
【００２３】
また、スリット１０は、チップ刃３の側面３ｂ近傍を中心Ｏ１とする略半円弧状であって、スリット１０と外周端縁部２ａとの角部は、所定鋭角αの小石侵入阻止角部１３を構成しているので、小石Ｚを草呼込スリット１０内に侵入させることがなく、安全に草木を刈り払うことができる。
【００２４】
また、スリット１０の終端中心線１１Ａは、基板２の半径線２０に対して反回転方向Ｂへ所定鋭角の終端傾斜角度βをもって傾斜しているので、刈払刃１の回転に伴う空気の流れを利用して、草むらに生えている細く柔軟な草等を確実に刈り払うことができる。
【００２５】
また、スリット１０は、終端部１１から小石侵入阻止角部１３に至るまでの溝幅Ｗを１．５ｍｍ〜３．０ｍｍに設定し、かつ、小石侵入阻止角部１３から始端部１２に至るまでの外方開放状の開口部１４の口幅Ｔを、溝幅Ｗの１．３〜２．０倍の寸法に設定したので、小石Ｚを飛散させることなく安全に、かつ、刈払刃１の回転に伴う空気の流れを利用して確実に草木を刈り払うことができる。
【００２６】
また、隣り合うチップ刃３とチップ刃３の間に於ける基板２の外周端縁部２ａと、チップ刃３の先端部３ａを結ぶ外接円Ｃ０とのラジアル方向寸法差ΔＲの、スリット１０を除外して算出した、平均値を、２．０ｍｍ〜４．０ｍｍに設定したので、小石Ｚを飛散させることなく安全に、かつ、確実に草木を刈り払うことができる。
【符号の説明】
【００２７】
２  円盤状基板
２ａ  外周端縁部
３  超硬チップ刃
３ａ  チップ先端部
３ｂ  側面
１０  草呼込スリット
１１  終端部
１１Ａ  終端中心線
１２  始端部
１３  小石侵入阻止角部
１４  開口部
２０  半径線
Ｂ  反回転方向
Ｗ  溝幅
Ｔ  口幅
Ｏ１  中心
Ｃ０  外接円
α  所定鋭角
β  終端傾斜角度
ΔＲ  ラジアル方向寸法差
【図１】
2011000015.tif 000003
【図２】
2011000015.tif 000004
【図３】
2011000015.tif 000005
【図４】
2011000015.tif 000006